(57)【要約】【課題】インバータ装置からパラメータ設定値を読出すときやインバータ装置にパラメータ設定値を書込むときの作業性を高める。【解決手段】インバータ装置１からパラメータ設定値が携帯電話機４に直接転送され、インバータ装置１からパラメータ設定値が読出されて携帯電話機４に記憶されると共に、携帯電話機４に記憶されているパラメータ設定値がインバータ装置１に直接転送され、携帯電話機４からパラメータ設定値がインバータ装置１に書込まれる。携帯性に優れている携帯電話機４を利用し、インバータ装置１からパラメータ設定値を読出すと共に、インバータ装置１にパラメータ設定値を書込むことができる。【選択図】　図１
2004104661.tif 000002
【特許請求の範囲】
【請求項１】
インバータ装置がモータの動作を制御するためのパラメータ設定値を記憶する記憶手段と、
パラメータ設定値をインバータ装置との間で直接転送するパラメータ設定値転送手段と、
インバータ装置に記憶されているパラメータ設定値をインバータ装置から前記パラメータ設定値転送手段に直接転送させることにより、インバータ装置からパラメータ設定値を読出して前記記憶手段に記憶させると共に、前記記憶手段に記憶されているパラメータ設定値を前記パラメータ設定値転送手段からインバータ装置に直接転送させることにより、パラメータ設定値をインバータ装置に書込む制御手段とを備えたことを特徴とする携帯電話機。
【請求項２】
請求項１に記載した携帯電話機において、
パラメータ設定値を表示する表示手段と、
ユーザの操作を受付ける操作受付手段とを備え、
前記制御手段は、前記記憶手段に記憶されているパラメータ設定値を前記表示手段に表示させると共に、ユーザの操作が前記操作受付手段に受付けられて入力されたパラメータ設定値を前記記憶手段に記憶させることを特徴とする携帯電話機。
【請求項３】
請求項１または２に記載した携帯電話機において、
パラメータ設定値をサーバや他の機器に送信するパラメータ設定値送信手段を備え、
前記制御手段は、前記記憶手段に記憶されているパラメータ設定値を前記パラメータ設定値送信手段からサーバや他の機器に送信させることを特徴とする携帯電話機。
【請求項４】
請求項１ないし３のいずれかに記載した携帯電話機において、
サーバや他の機器からパラメータ設定値を受信するパラメータ設定値受信手段を備え、
前記制御手段は、サーバや他の機器からパラメータ設定値を前記パラメータ設定値受信手段に受信させて前記記憶手段に記憶させることを特徴とする携帯電話機。
【請求項５】
請求項１ないし４のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、インバータ装置に記憶されているパラメータ設定値をインバータ装置から前記パラメータ設定値転送手段に直接転送させることにより、インバータ装置からパラメータ設定値を読出して前記記憶手段に記憶させることを特徴とする携帯電話機。
【請求項６】
請求項１ないし４のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定転送手段からインバータ装置に直接転送させることにより、パラメータ設定値をインバータ装置に書込むことを特徴とする携帯電話機。
【請求項７】
請求項３または４に記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定値送信手段からサーバや他の機器に送信させることを特徴とする携帯電話機。
【請求項８】
請求項３、４または７に記載した携帯電話機において、
インバータ装置から特定の文字列を入力する文字列入力手段を備え、
前記制御手段は、インバータ装置から特定の文字列が前記文字列入力手段に入力されたときや、インバータ装置から特定のパラメータ設定値が前記パラメータ設定値転送手段に転送されたときに、前記記憶手段に記憶されているパラメータ設定値を前記パラメータ設定値送信手段からサーバや他の機器に送信させることを特徴とする携帯電話機。
【請求項９】
請求項８に記載した携帯電話機において、
報知手段を備え、
前記制御手段は、インバータ装置から特定の文字列が前記文字列入力手段に入力されたときや、インバータ装置から特定のパラメータ設定値が前記パラメータ設定値転送手段に転送されたときに、前記報知手段による報知動作を行わせることを特徴とする携帯電話機。
【請求項１０】
請求項１ないし９のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を変更させ、変更後のパラメータ設定値を前記パラメータ設定値転送手段からインバータ装置に直接転送させることにより、変更後のパラメータ設定値をインバータ装置に書込むことを特徴とする携帯電話機。
【請求項１１】
請求項１ないし１０のいずれかに記載した携帯電話機において、
サーバや他の機器からインバータ装置の制御プログラムを受信する制御プログラム受信手段と、
制御プログラムをインバータ装置との間で直接転送する制御プログラム転送手段とを備え、
前記制御手段は、サーバや他の機器からインバータ装置の制御プログラムを前記制御プログラム受信手段に受信させて前記制御プログラム転送手段からインバータ装置に直接転送させることにより、インバータ装置の制御プログラムをインバータ装置に書込むことを特徴とする携帯電話機。
【請求項１２】
請求項１ないし１１のいずれかに記載した携帯電話機において、
文字列をインバータ装置に出力する文字列出力手段と、
インバータ装置から返信データを入力する返信データ入力手段とを備え、
前記制御手段は、自身の制御プログラムを起動したときに、前記文字列出力手段から特定の文字列をインバータ装置に出力させ、インバータ装置から前記返信データ入力手段に入力された返信データを解析することにより、インバータ装置との間でパラメータ設定値を転送するのに必要な情報を取得することを特徴とする携帯電話機。
【請求項１３】
請求項１ないし１２のいずれかに記載した携帯電話機において、
前記制御手段は、インバータ装置からパラメータ設定値を読出して前記記憶手段に記憶させるときに、インバータ装置を識別するためのインバータ装置識別情報と共にパラメータ設定値を前記記憶手段に記憶させることを特徴とする携帯電話機。
【請求項１４】
請求項３ないし１３のいずれかに記載した携帯電話機において、
前記制御手段は、インバータ装置が運転状態であることを検出したときに、前記記憶手段に記憶されているパラメータ設定値を前記パラメータ設定値送信手段からサーバや他の機器に送信させることを禁止することを特徴とする携帯電話機。
【請求項１５】
請求項１ないし１４のいずれかに記載した携帯電話機において、
インバータ装置が異常状態や停止状態であることを表す異常停止情報をサーバや他の機器に送信する異常停止情報送信手段を備え、
前記制御手段は、インバータ装置が異常状態や停止状態であることを検出したときに、前記異常停止情報送信手段から異常停止情報をサーバや他の機器に送信させることを特徴とする携帯電話機。
【請求項１６】
請求項３ないし１５のいずれかに記載した携帯電話機において、
前記制御手段は、インバータ装置から読出されたパラメータ設定値が前記記憶手段に記憶されているパラメータ設定値と異なるときに、変更後のパラメータ設定値を前記パラメータ設定値送信手段からサーバや他の機器に送信させることを特徴とする携帯電話機。
【請求項１７】
請求項１ないし１６のいずれかに記載した携帯電話機において、
サーバや他の機器から自身の制御プログラムのうちのインバータ装置毎に固有のパラメータ設定値を転送するのに必要な固有プログラムを受信する固有プログラム受信手段とを備え、
前記制御手段は、インバータ装置を識別し、サーバや他の機器から固有プログラムを前記固有プログラム受信手段に受信させることを特徴とする携帯電話機。
【請求項１８】
請求項１ないし１７のいずれかに記載した携帯電話機との間でパラメータ設定値を直接転送するように構成されたことを特徴とするインバータ装置。
【請求項１９】
請求項１８に記載したインバータ装置において、
所定条件が成立したときに、特定の文字列や特定のパラメータ設定値を携帯電話機に出力することを特徴とするインバータ装置。
【請求項２０】
請求項１８または１９に記載したインバータ装置において、
電源が投入されたときに、特定の文字列を携帯電話機に出力し、携帯電話機から入力された返信データを解析することにより、携帯電話機との間でパラメータ設定値を転送するのに必要な情報を取得することを特徴とするインバータ装置。
【請求項２１】
請求項１８ないし２０のいずれかに記載したインバータ装置において、
携帯電話機からパラメータ設定値を読出して記憶するときに、携帯電話機を識別するための携帯電話機識別情報と共にパラメータ設定値を記憶することを特徴とするインバータ装置。
【請求項２２】
請求項１ないし１７のいずれかに記載した携帯電話機と、請求項１８ないし２１のいずれかに記載したインバータ装置とを備えて構築されたことを特徴とするインバータ装置のパラメータ設定値転送システム。
【請求項２３】
携帯電話機に、
インバータ装置に記憶されているパラメータ設定値をインバータ装置から直接転送させることにより、インバータ装置からパラメータ設定値を読出して記憶する手順と、
記憶されているパラメータ設定値をインバータ装置に直接転送することにより、パラメータ設定値をインバータ装置に書込む手順とを実行させるための携帯電話機の制御プログラム。
【請求項２４】
インバータ装置に、
携帯電話機に記憶されているパラメータ設定値を携帯電話機から直接転送させることにより、携帯電話機からパラメータ設定値を読出して記憶する手順と、
記憶されているパラメータ設定値を携帯電話機に直接転送することにより、パラメータ設定値を携帯電話機に書込む手順とを実行させるためのインバータ装置の制御プログラム。
【発明の詳細な説明】
【０００１】
【発明の属する技術分野】
本発明は、携帯電話機、インバータ装置、携帯電話機とインバータ装置とを備えて構築されたインバータ装置のパラメータ設定値転送システム、携帯電話機の制御プログラムおよびインバータ装置の制御プログラムに関する。
【０００２】
【従来の技術】
従来、インバータ装置からパラメータ設定値を読出すときや、インバータ装置にパラメータ設定値を書込むときには、例えば汎用のデスクトップ型のパーソナルコンピュータ端末（以下、パソコン端末と略称する）をインバータ装置に接続し、作業者がパソコン端末を操作するようになっている（例えば特許文献１参照）。
【０００３】
【特許文献１】
特開平１１−２１５８３４号公報（第１５図〜第１７図）
【０００４】
【発明が解決しようとする課題】
しかしながら、パソコン端末をインバータ装置に接続し、インバータ装置からパラメータ設定値を読出すものや、インバータ装置にパラメータ設定値を書込むものでは、パソコン端末が携帯性に優れているとは言難いので、作業性に問題がある。また、パソコン端末が単体ではインバータ装置から読出されたパラメータ設定値を遠隔地に送信不可能であるので、例えばトラブルが発生したときなどに早急な解決が困難となる場合がある。
【０００５】
本発明は、上記した事情に鑑みてなされたものであり、その目的は、インバータ装置からパラメータ設定値を読出すときやインバータ装置にパラメータ設定値を書込むときの作業性を高めることができ、また、インバータ装置から読出されたパラメータ設定値を遠隔地に送信するときの利便性を高めることができる携帯電話機、インバータ装置のパラメータ設定値転送システムおよび携帯電話機の制御プログラムを提供することにある。
【０００６】
【課題を解決するための手段】
請求項１に記載した携帯電話機は、インバータ装置がモータの動作を制御するためのパラメータ設定値を記憶する記憶手段と、パラメータ設定値をインバータ装置との間で直接転送するパラメータ設定値転送手段と、インバータ装置に記憶されているパラメータ設定値をインバータ装置から前記パラメータ設定値転送手段に直接転送させることにより、インバータ装置からパラメータ設定値を読出して前記記憶手段に記憶させると共に、前記記憶手段に記憶されているパラメータ設定値を前記パラメータ設定値転送手段からインバータ装置に直接転送させることにより、パラメータ設定値をインバータ装置に書込む制御手段とを備えて構成したところに特徴を有する。
【０００７】
このような構成によれば、携帯電話機をインバータ装置に接続すると、インバータ装置に記憶されているパラメータ設定値がインバータ装置から携帯電話機に直接転送されることにより、インバータ装置からパラメータ設定値が読出されて携帯電話機に記憶されると共に、携帯電話機に記憶されているパラメータ設定値がインバータ装置に直接転送されることにより、パラメータ設定値がインバータ装置に書込まれる。
【０００８】
このように携帯性に優れている携帯電話機をインバータ装置に接続し、インバータ装置からパラメータ設定値を読出すことやインバータ装置にパラメータ設定値を書込むことができるので、例えばデスクトップ型のパソコン端末をインバータ装置に接続する従来のものとは異なって、インバータ装置からパラメータ設定値を読出すときやインバータ装置にパラメータ設定値を書込むときの作業性を高めることができ、また、携帯電話機が本来有している電話機能を利用することにより、単独でパラメータ設定値を遠隔地に送信することができ、インバータ装置から読出されたパラメータ設定値を遠隔地に送信するときの利便性を高めることができる。
【０００９】
請求項２に記載した携帯電話機は、請求項１に記載した携帯電話機において、パラメータ設定値を表示する表示手段と、ユーザの操作を受付ける操作受付手段とを備え、前記制御手段は、前記記憶手段に記憶されているパラメータ設定値を前記表示手段に表示させると共に、ユーザの操作が前記操作受付手段に受付けられて入力されたパラメータ設定値を前記記憶手段に記憶させるように構成したところに特徴を有する。
【００１０】
このような構成によれば、携帯電話機に記憶されているパラメータ設定値が表示されるので、インバータ装置から読出されたパラメータ設定値やインバータ装置に書込まれるパラメータ設定値を視覚的に確認することができ、また、ユーザの操作により入力されたパラメータ設定値が記憶されるので、ユーザの操作に入力されたパラメータ設定値をインバータ装置に書込むことができ、パラメータ設定値を容易に編集することができる。
【００１１】
請求項３に記載した携帯電話機は、請求項１または２に記載した携帯電話機において、パラメータ設定値をサーバや他の機器に送信するパラメータ設定値送信手段を備え、前記制御手段は、前記記憶手段に記憶されているパラメータ設定値を前記パラメータ設定値送信手段からサーバや他の機器に送信させるように構成したところに特徴を有する。
【００１２】
このような構成によれば、携帯電話機に記憶されているパラメータ設定値がサーバや他の機器に送信されるので、インバータ装置から読出されたパラメータ設定値やインバータ装置に書込まれるパラメータ設定値を遠隔地にて確認することができる。
【００１３】
請求項４に記載した携帯電話機は、請求項１ないし３のいずれかに記載した携帯電話機において、サーバや他の機器からパラメータ設定値を受信するパラメータ設定値受信手段を備え、前記制御手段は、サーバや他の機器からパラメータ設定値を前記パラメータ設定値受信手段に受信させて前記記憶手段に記憶させるように構成したところに特徴を有する。
【００１４】
このような構成によれば、遠隔地からパラメータ設定値が携帯電話機に受信されて記憶されるので、遠隔地にて設定されたパラメータ設定値をインバータ装置に書込むことができる。
【００１５】
請求項５に記載した携帯電話機は、請求項１ないし４のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、インバータ装置からパラメータ設定値を前記パラメータ設定値転送手段に直接転送させることにより、インバータ装置に記憶されているパラメータ設定値をインバータ装置から読出して前記記憶手段に記憶させるように構成したところに特徴を有する。
【００１６】
このような構成によれば、サーバや他の機器から特定の文字列が携帯電話機に受信されたり、所定時刻や所定時間が計時されたりすると、インバータ装置に記憶されているパラメータ設定値がインバータ装置から携帯電話機に直接転送されることにより、インバータ装置からパラメータ設定値が読出されて携帯電話機に記憶されるので、遠隔地における任意の時点や、所定時刻が計時された時点や、所定時間毎に、インバータ装置からパラメータ設定値を読出して携帯電話機に記憶させることができる。
【００１７】
請求項６に記載した携帯電話機は、請求項１ないし４のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定転送手段からインバータ装置に直接転送させることにより、パラメータ設定値をインバータ装置に書込むように構成したところに特徴を有する。
【００１８】
このような構成によれば、サーバや他の機器から特定の文字列が携帯電話機に受信されたり、所定時刻や所定時間が計時されたりすると、携帯電話機に記憶されているパラメータ設定値がインバータ装置に直接転送されることにより、パラメータ設定値がインバータ装置に書込まれるので、遠隔地における任意の時点や、所定時刻が計時された時点や、所定時間毎に、インバータ装置にパラメータ設定値を書込むことができる。
【００１９】
請求項７に記載した携帯電話機は、請求項３または４に記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定値送信手段からサーバや他の機器に送信させるように構成したところに特徴を有する。
【００２０】
このような構成によれば、サーバや他の機器から特定の文字列が携帯電話機に受信されたり、所定時刻や所定時間が計時されたりすると、携帯電話機に記憶されているパラメータ設定値がサーバや他の機器に送信されるので、遠隔地における任意の時点や、所定時刻が計時された時点や、所定時間毎に、インバータ装置から読出されたパラメータ設定値を遠隔地に送信することができ、また、インバータ装置に書込むパラメータ設定値を遠隔地に送信することができる。
【００２１】
請求項８に記載した携帯電話機は、請求項３、４または７に記載した携帯電話機において、インバータ装置から特定の文字列を入力する文字列入力手段を備え、前記制御手段は、インバータ装置から特定の文字列が前記文字列入力手段に入力されたときや、インバータ装置から特定のパラメータ設定値が前記パラメータ設定値転送手段に転送されたときに、前記記憶手段に記憶されているパラメータ設定値を前記パラメータ設定値送信手段からサーバや他の機器に送信させるように構成したところに特徴を有する。
【００２２】
このような構成によれば、インバータ装置から特定の文字列が携帯電話機に入力されたり、インバータ装置から特定のパラメータ設定値が携帯電話機に転送されたりすると、携帯電話機に記憶されているパラメータ設定値がサーバや他の機器に送信されるので、インバータ装置から特定の文字列が入力された毎や、インバータ装置から特定のパラメータ設定値が転送された毎に、インバータ装置から読出されたパラメータ設定値を遠隔地に送信することができ、また、インバータ装置に書込むパラメータ設定値を遠隔地に送信することができる。
【００２３】
請求項９に記載した携帯電話機は、請求項８に記載した携帯電話機において、報知手段を備え、前記制御手段は、インバータ装置から特定の文字列が前記文字列入力手段に入力されたときや、インバータ装置から特定のパラメータ設定値が前記パラメータ設定値転送手段に転送されたときに、前記報知手段による報知動作を行わせるように構成したところに特徴を有する。
【００２４】
このような構成によれば、インバータ装置から特定の文字列が携帯電話機に入力されたり、インバータ装置から特定のパラメータ設定値が携帯電話機に転送されたりすると、報知手段による報知動作が行われるようになるので、インバータ装置から特定の文字列が入力されたり、インバータ装置から特定のパラメータ設定値が転送されたりしたことに応じて、インバータ装置から読出されたパラメータ設定値を遠隔地に送信したり、インバータ装置に書込むパラメータ設定値を遠隔地に送信したりしたことを、ユーザに知らせることができる。
【００２５】
請求項１０に記載した携帯電話機は、請求項１ないし９のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、前記記憶手段に記憶されているパラメータ設定値を変更させ、変更後のパラメータ設定値を前記パラメータ設定値転送手段からインバータ装置に直接転送させることにより、変更後のパラメータ設定値をインバータ装置に書込むように構成したところに特徴を有する。
【００２６】
このような構成によれば、サーバや他の機器から特定の文字列が携帯電話機に受信されたり、所定時刻や所定時間が計時されると、携帯電話機に記憶されているパラメータ設定値が変更され、変更後のパラメータ設定値がインバータ装置に直接転送されることにより、変更後のパラメータ設定値がインバータ装置に書込まれるので、遠隔地における任意の時点や、所定時刻が計時された時点や、所定時間毎に、パラメータ設定値を変更してインバータ装置に書込むことができる。
【００２７】
請求項１１に記載した携帯電話機は、請求項１ないし１０のいずれかに記載した携帯電話機において、サーバや他の機器からインバータ装置の制御プログラムを受信する制御プログラム受信手段と、制御プログラムをインバータ装置との間で直接転送する制御プログラム転送手段とを備え、前記制御手段は、サーバや他の機器からインバータ装置の制御プログラムを前記制御プログラム受信手段に受信させて前記制御プログラム転送手段からインバータ装置に直接転送させることにより、インバータ装置の制御プログラムをインバータ装置に書込むように構成したところに特徴を有する。
【００２８】
このような構成によれば、サーバや他の機器からインバータ装置の制御プログラムが携帯電話機に受信されてインバータ装置に直接転送されることにより、インバータ装置の制御プログラムがインバータ装置に書込まれるので、遠隔地にて作成されたインバータ装置の制御プログラムをインバータ装置に書込むことができ、インバータ装置の制御プログラムを容易に書換えることができる。
【００２９】
請求項１２に記載した携帯電話機は、請求項１ないし１１のいずれかに記載した携帯電話機において、文字列をインバータ装置に出力する文字列出力手段と、インバータ装置から返信データを入力する返信データ入力手段とを備え、前記制御手段は、自身の制御プログラムを起動したときに、前記文字列出力手段から特定の文字列をインバータ装置に出力させ、インバータ装置から前記返信データ入力手段に入力された返信データを解析することにより、インバータ装置との間でパラメータ設定値を転送するのに必要な情報を取得するように構成したところに特徴を有する。
【００３０】
このような構成によれば、特定の文字列がインバータ装置に出力され、インバータ装置から入力された返信データが解析されることにより、インバータ装置との間でパラメータ設定値を転送するのに必要な情報を取得することができる。
【００３１】
請求項１３に記載した携帯電話機は、請求項１ないし１２のいずれかに記載した携帯電話機において、前記制御手段は、インバータ装置からパラメータ設定値を読出して前記記憶手段に記憶させるときに、インバータ装置を識別するためのインバータ装置識別情報と共にパラメータ設定値を前記記憶手段に記憶させるように構成したところに特徴を有する。
【００３２】
このような構成によれば、インバータ装置を識別するためのインバータ装置識別情報と共にパラメータ設定値が携帯電話機に記憶されるので、インバータ装置識別情報に基づいてインバータ装置の型式などを記憶することができると共に、記憶されているパラメータ設定値を種別が異なるインバータ装置に書込むときなどに、インバータ装置の型式などを照合することにより、パラメータ設定値を書込むべき正規のインバータ装置であるか否かを判定することができ、パラメータ設定値を書込むべき正規のインバータ装置でないときに、注意を促すことができる。
【００３３】
請求項１４に記載した携帯電話機は、請求項３ないし１３のいずれかに記載した携帯電話機において、前記制御手段は、インバータ装置が運転状態であることを検出したときに、前記記憶手段に記憶されているパラメータ設定値を前記パラメータ設定値送信手段からサーバや他の機器に送信させることを禁止するように構成したところに特徴を有する。
【００３４】
このような構成によれば、インバータ装置が運転状態であることが検出されると、携帯電話機に記憶されているパラメータ設定値がサーバや他の機器に送信されることが禁止されるので、インバータ装置が運転していることに起因してノイズが重畳されてパラメータ設定値が遠隔地に送信されることを未然に回避することができる。
【００３５】
請求項１５に記載した携帯電話機は、請求項１ないし１４のいずれかに記載した携帯電話機において、インバータ装置が異常状態や停止状態であることを表す異常停止情報をサーバや他の機器に送信する異常停止情報送信手段を備え、前記制御手段は、インバータ装置が異常状態や停止状態であることを検出したときに、前記異常停止情報送信手段から異常停止情報をサーバや他の機器に送信させるように構成したところに特徴を有する。
【００３６】
このような構成によれば、インバータ装置が異常状態や停止状態であることが検出されると、インバータ装置が異常状態や停止状態であることを表す異常停止情報がサーバや他の機器に送信されるので、インバータ装置が異常状態や停止状態であることを遠隔地に知らせることができる。
【００３７】
請求項１６に記載した携帯電話機は、請求項３ないし１５のいずれかに記載した携帯電話機において、前記制御手段は、インバータ装置から読出されたパラメータ設定値が前記記憶手段に記憶されているパラメータ設定値と異なるときに、変更後のパラメータ設定値を前記パラメータ設定値送信手段からサーバや他の機器に送信させるように構成したところに特徴を有する。
【００３８】
このような構成によれば、インバータ装置から読出されたパラメータ設定値が記憶されているパラメータ設定値と異なっていると、変更後のパラメータ設定値がサーバや他の機器に送信されるので、変更後のパラメータ設定値を遠隔地に送信することができる。
【００３９】
請求項１７に記載した携帯電話機は、請求項１ないし１６のいずれかに記載した携帯電話機において、サーバや他の機器から自身の制御プログラムのうちのインバータ装置毎に固有のパラメータ設定値を転送するのに必要な固有プログラムを受信する固有プログラム受信手段とを備え、前記制御手段は、インバータ装置を識別し、サーバや他の機器から固有プログラムを前記固有プログラム受信手段に受信させるように構成したところに特徴を有する。
【００４０】
このような構成によれば、インバータ装置毎に固有の固有プログラムを予め記憶しておく必要がなく、インバータ装置に共通の共通プログラムのみを記憶しておき、パラメータ設定値をインバータ装置との間で転送する毎に、該当するインバータ装置毎に固有の固有プログラムを受信して記憶すれば良いので、自身の制御プログラムの容量を小さくすることができる。
【００４１】
【発明の実施の形態】
以下、本発明の一実施例について、図面を参照して説明する。
まず、図１は、システムの全体構成を概略的に示している。インバータ装置１は、交流電源２から交流電力が供給されるようになっており、交流電源２から供給された交流電力に基づいてモータ３の動作を制御する。携帯電話機４は、シリアル転送ケーブル５によりインバータ装置１に直接接続されていると共に、サーバ６との間で通信回線７を通じて通信可能となっており、サーバ６との間で通信リンクを確立した状態では、インバータ装置１のパラメータ設定値などをサーバ６との間で通信可能になっている。ここでいうパラメータ設定値は、インバータ装置１がモータ３の動作を制御するために必要な値であり、例えば上限周波数や下限周波数などである。また、ここでいう通信回線７は、携帯電話回線や固定電話回線などの複数の電話回線から構成されるものである。
【００４２】
サーバ６は、他の携帯電話機８（本発明でいう他の機器）や例えば別の作業場所などに設置されているデスクトップ型のパソコン端末９（本発明でいう他の機器）などとの間でも通信回線７を通じて通信可能となっており、サーバ６との間で通信リンクを確立した状態では、インバータ装置１のパラメータ設定値などを他の携帯電話機８やパソコン端末９との間で通信可能になっている。また、サーバ６は、インバータ装置１のパラメータ設定値の他に、インバータ装置１の制御プログラム、携帯電話機４の制御プログラムのうちのインバータ装置１に共通の共通プログラムおよび携帯電話機４の制御プログラムのうちのインバータ装置毎１に固有のパラメータ設定値を転送するのに必要な固有プログラムなどを記憶可能に構成されている。
【００４３】
図２は、上記したインバータ装置１および携帯電話機４の電気的な構成を機能ブロック図として示している。インバータ装置１は、制御部１０、インバータ主回路部１１、シリアル転送インタフェース部１２、表示部１３、操作受付部１４および記憶部１５を備えて構成されている。
【００４４】
制御部１０は、マイクロコンピュータを主体として構成され、制御プログラムを実行することにより、インバータ装置１の動作全搬を制御する。インバータ主回路部１１は、整流回路やスイッチング回路などから構成され、交流電源２から供給された交流電力に基づいてモータ３の動作を制御する。シリアル転送インタフェース部１２は、インバータ装置１と携帯電話機４との間のシリアル転送を制御する機能を有しており、インバータ装置１のパラメータ設定値などを携帯電話機４との間でシリアル転送する。
【００４５】
表示部１３は、例えば液晶ディスプレイから構成され、制御部１０から表示指令信号が入力されると、表示指令信号に基づいてパラメータ設定値などを表示する。操作受付部１４は、電源キーや入力キーなどから構成され、ユーザがキーを操作すると、操作されたキーに対応する操作信号を制御部１０に出力する。そして、記憶部１５は、不揮発性のメモリから構成され、インバータ装置１のパラメータ設定値を記憶可能であると共に、インバータ装置１の型式を識別するためのインバータ装置識別情報と転送条件情報とからなるパラメータデータや、携帯電話機４を識別するための携帯電話機識別情報を記憶可能に構成されている。
【００４６】
一方、携帯電話機４は、制御部１６（本発明でいう制御手段）、無線通信部１７（本発明でいうパラメータ設定値送信手段、パラメータ設定値受信手段、文字列受信手段、制御プログラム受信手段、異常停止情報送信手段および固有プログラム受信手段）、表示部１８（本発明でいう表示手段）、操作受付部１９（本発明でいう操作受付手段）、音楽再生部２０（本発明でいう報知手段）、スピーカ２１、マイクロホン２２、レシーバ２３、シリアル転送インタフェース部２４（本発明でいうパラメータ設定値転送手段、文字列入力手段、制御プログラム転送手段、文字列出力手段および返信データ入力手段）、計時部２５（本発明でいう計時手段）および記憶部２６（本発明でいう記憶手段）を備えて構成されている。
【００４７】
制御部１６は、マイクロコンピュータを主体として構成され、制御プログラムを実行することにより、携帯電話機４の動作全搬を制御する。この場合、制御プログラムは、例えばＪａｖａにより記述されている。無線通信部１７は、所定の通信プロトコルに基づいて携帯電話回線との間の無線通信処理を行う。表示部１８は、例えば液晶ディスプレイから構成され、制御部１６から表示指令信号が入力されると、表示指令信号に基づいて例えば時刻や電波の受信強度を示すアイコンやインバータ装置１から転送されて読出されたパラメータ設定値などを表示する。
【００４８】
操作受付部１９は、電源キー、「０」〜「９」の数字キー、リダイヤル発信を行うためのリダイヤルキー、スクロール表示を行うためのスクロールキーなどの各種のキーが配列されてなるキーボードから構成され、ユーザがキーを操作すると、操作されたキーに対応する操作信号を制御部１６に出力する。音楽再生部２０は、制御部１６から再生指令信号が入力されると、予め記憶されている楽曲データを再生し、音楽をスピーカ２０から出力させる（本発明でいう報知動作を行う）。
【００４９】
マイクロホン２２は、ユーザが発した音声を送話音声として入力する。レシーバシーナ２３は、携帯電話回線から携帯電話機４に受信された音声を受話音声として出力する。シリアル転送インタフェース部２４は、携帯電話機４とインバータ装置１との間のシリアル転送を制御する機能を有しており、インバータ装置１のパラメータ設定値などをインバータ装置１との間でシリアル転送する。計時部２５は、計時信号を制御部１６に出力し、制御部１６は、計時部２５から入力された計時信号に基づいて時刻や時間を認識する。
【００５０】
そして、記憶部２６は、不揮発性のメモリやバックアップ可能なメモリから構成され、インバータ装置１のパラメータ設定値を記憶可能であると共に、複数のインバータ装置１に対応可能となるようにインバータ装置１毎に記憶されている複数のパラメータデータを記憶可能に構成されている。
【００５１】
次に、上記した構成の作用として、携帯電話機４の制御部１６が行う処理について、図３ないし図６を参照して説明する。尚、ここでは、インバータ装置１と携帯電話機４とがシリアル転送ケーブル５を通じて接続されていることを前提として説明する。また、ここでは、制御部１６が予めサーバ６に記憶されている自身の制御プログラムのうちのインバータ装置に共通の共通プログラムをダウンロードさせていることを前提として説明する。
【００５２】
制御部１６は、パラメータ設定値をインバータ装置１との間で転送するのに先立って、パラメータ設定値をインバータ装置１との間で転送するのに必要な環境を作成するために転送チェック処理を行う（ステップＳ１）。具体的に説明すると、制御部１６は、例えば通信開始文字列、通信速度およびパリティの各要素を転送条件として決定する（ステップＳ２）。この場合、転送条件の各要素は、例えば、
通信開始文字列［ａ］＝｛Ａ社用，Ｂ社用，Ｃ社用｝
通信速度［ｂ］＝｛１９２００，９６００，４８００，２４００｝
パリティ［ｃ］＝｛ＮＯＮ，ＥＶＥＮ，ＯＤＤ｝
として表現される。
【００５３】
さて、制御部１６は、通信開始文字列、通信速度およびパリティの各要素を転送条件として決定すると、通信開始文字列［ａ］に「０」を設定し、通信速度［ｂ］に「０」を設定し、パリティ［ｃ］に「０」を設定することにより、通信開始文字列を「Ａ社用」に設定し、通信速度を「１９２００」に設定し、パリティを「ＮＯＮ」に設定する（ステップＳ３）。
【００５４】
次いで、制御部１６は、設定したパリティ［ｃ］の値がパリティ［ｃ］の最大規定値以下であるか否かを判定する（ステップＳ４）。この場合は、パリティ［ｃ］の変数が｛ＮＯＮ，ＥＶＥＮ，ＯＤＤ｝の３個であるので、パリティ［ｃ］の最大規定値が「２」であり、制御部１６は、設定したパリティ［ｃ］の値がパリティ［ｃ］の最大規定値以下であると判定する（ステップＳ４にて「ＹＥＳ」）。
【００５５】
次いで、制御部１６は、設定した通信速度［ｂ］の値が通信速度［ｂ］の最大規定値以下であるか否かを判定する（ステップＳ５）。この場合は、通信速度［ｂ］の変数が｛１９２００，９６００，４８００，２４００｝の４個であるので、通信速度［ｂ］の最大規定値が「３」であり、制御部１６は、設定した通信速度［ｂ］の値が通信速度［ｂ］の最大規定値以下であると判定する（ステップＳ５にて「ＹＥＳ」）。
【００５６】
次いで、制御部１６は、設定した通信開始文字列［ａ］の値が通信開始文字列［ａ］の最大規定値以下であるか否かを判定する（ステップＳ６）。この場合は、通信開始文字列［ａ］の変数が｛Ａ社用，Ｂ社用，Ｃ社用｝の３個であるので、通信開始文字列［ａ］の最大規定値が「２」であり、制御部１６は、設定した通信開始文字列［ａ］の値が通信開始文字列［ａ］の最大規定値以下であると判定する（ステップＳ６にて「ＹＥＳ」）。
【００５７】
そして、制御部１６は、このようにして設定した転送条件、つまり、通信開始文字列が「Ａ社用」、通信速度が「１９２００」、パリティが「ＮＯＮ」という転送条件にてパラメータデータ（本発明でいう返信データ）の読出しを行う文字列をシリアル転送インタフェース部２４からインバータ装置１に出力させる（ステップＳ７）。
【００５８】
インバータ装置１は、このようにして携帯電話機４から出力された文字列がシリアル転送インタフェース部１２に入力されると、入力された文字列により表される転送条件を解析する。そして、インバータ装置１は、転送条件が正であれば、パラメータデータを表す文字列をシリアル転送インタフェース部１２から携帯電話機４に出力し、これに対して、転送条件が否であれば、パラメータデータを表す文字列を携帯電話機４に出力することはない。
【００５９】
携帯電話機４において、制御部１６は、インバータ装置１から文字列がシリアル転送インタフェース部２４に入力されるのを待機しており（ステップＳ８）、インバータ装置１から出力された文字列がシリアル転送インタフェース部２４に入力されると（ステップＳ８にて「ＹＥＳ」）、入力された文字列を解析し、文字列の正否を判定する（ステップＳ９）。
【００６０】
ここで、制御部１６は、文字列が正であると（ステップＳ９にて「ＹＥＳ」）、文字列からインバータ装置１を識別可能なインバータ装置識別情報を抽出し（ステップＳ１０）、インバータ装置識別情報に基づいてインバータ装置１の型式を特定する（ステップＳ１１）。
【００６１】
そして、制御部１６は、無線通信部１７にサーバ６を発信先とする発信動作を行わせることにより、サーバ６との間で無線通信リンクを確立させ、サーバ６に記憶されている自身の制御プログラムのうちの型式が特定されたインバータ装置１に固有の固有プログラムをダウンロードさせ（ステップＳ１２）、転送チェック処理を終了する。
【００６２】
尚、制御部１６は、インバータ装置１から文字列が入力されなかったり（ステップＳ８にて「ＮＯ」）、インバータ装置１から入力された文字列が否であると（ステップＳ９にて「ＮＯ」）、パリティ［ｃ］の値をインクリメントすることより転送条件を変更し（ステップＳ１３）、上記したステップＳ４に戻り、ステップＳ４以降の処理を行う。
【００６３】
そして、制御部１６は、ステップＳ４以降の処理を繰返して行っている途中で、パリティ［ｃ］の値がパリティ［ｃ］の最大規定値を越えていると判定すると（ステップＳ４にて「ＮＯ」と判定）、通信速度［ｂ］の値をインクリメントすると共にパリティ［ｃ］に「０」を設定することにより転送条件を変更し（ステップＳ１４）、ステップＳ５以降の処理を行う。また、制御部１６は、ステップ５以降の処理を繰返して行っている途中で、通信速度［ｂ］の値が通信速度［ｂ］の最大規定値を越えていると判定すると（ステップＳ５にて「ＮＯ」と判定）、通信開始文字列［ａ］の値をインクリメントすると共に通信速度［ｂ］に「０」を設定することにより転送条件を変更し（ステップＳ１５）、ステップＳ６以降の処理を行う。また、制御部１６は、通信開始文字列［ａ］の値が通信開始文字列［ａ］の最大規定値を越えていると判定すると（ステップＳ６にて「ＮＯ」と判定）、転送チェック処理を終了する。
【００６４】
さて、制御部１６は、転送チェック処理を終了すると、転送チェック処理を行った結果として、パラメータ設定値をインバータ装置１との間で転送可能であるか否かを判定する（ステップＳ１６）。そして、制御部１６は、パラメータ設定値をインバータ装置１との間で転送可能であると判定すると（ステップＳ１６にて「ＹＥＳ」）、インバータ装置１から入力された文字列により表されるパラメータデータを記憶部２６に記憶させ、転送条件を表す転送条件情報を記憶させる（ステップＳ１７）。これに対して、制御部１６は、パラメータ設定値をインバータ装置１との間で転送不可能であると判定すると（ステップＳ１６にて「ＮＯ」）、転送不可フラグを設定する（ステップＳ１８）。
【００６５】
次いで、制御部１６は、表示指令信号を表示部１８に表示することにより、ユーザが携帯電話機４を利用してパラメータ設定値をインバータ装置１との間で転送するのに必要なメニュー画面を表示部１８に表示させる（ステップＳ１９）。そして、制御部１６は、操作受付部１９から操作信号が入力されたことに応じて、ユーザによりメニュー選択の操作が行われたことを検出すると（ステップＳ２０にて「ＹＥＳ」）、その操作に応じて、パラメータ設定値をインバータ装置１との間で転送する転送処理を行う（ステップＳ２１）。
【００６６】
ここで、図５および図６は、携帯電話機４における表示画面の遷移の一例を示している。この場合、ユーザが図５（ａ）に示すメニュー画面上で例えば「１．パラメータ読出」を選択し、次いで、ユーザが図５（ｂ）に示すメニュー画面上で例えば「１．一括読出」を選択すると、図５（ｃ）に示すメニュー画面が表示され、このような操作が行われることにより、インバータ装置１に記憶されているパラメータ設定値がインバータ装置１から携帯電話機４に転送され、インバータ装置１からパラメータ設定値が読出されて携帯電話機４の記憶部２６に記憶される。尚、この場合、ユーザが図５（ｂ）に示すメニュー画面上で例えば「２．個別読出」を選択すると、インバータ装置１に記憶されているパラメータ設定値のうちの指定されたパラメータ設定値のみがインバータ装置１から携帯電話機４に転送され、インバータ装置１から指定されたパラメータ設定値のみが読出されて携帯電話機４の記憶部２６に記憶される。
【００６７】
また、ユーザが図５（ａ）に示すメニュー画面上で例えば「２．パラメータ書込」を選択し、次いで、ユーザが図５（ｄ）に示すメニュー画面上で「１．一括書込」を選択すると、この場合も、図５（ｃ）に示すメニュー画面が表示され、このような操作が行われることにより、記憶部２６に記憶されているパラメータ設定値が携帯電話機４からインバータ装置１に転送され、携帯電話機４に記憶されているパラメータ設定値がインバータ装置１に書込まれる。尚、この場合も、ユーザが図５（ｄ）に示すメニュー画面上で「１．個別書込」を選択すると、記憶部２６に記憶されているパラメータ設定値のうちの指定されたパラメータ設定値のみが携帯電話機４からインバータ装置１に転送され、携帯電話機４に記憶されている指定されたパラメータ設定値のみがインバータ装置１に書込まれる。
【００６８】
また、制御部１６は、サーバ６や他の携帯電話機８やパソコン端末９から特定の文字列が無線通信部２７に受信されたか否かを判定し（ステップＳ２２）、所定時刻や所定時間が計時部２５により計時されたか否かを判定する（ステップＳ２３）。そして、制御部１６は、サーバ６や他の携帯電話機８やパソコン端末９から特定の文字列が無線通信部２７に受信されたり（ステップＳ２２にて「ＹＥＳ」）、所定時刻や所定時間が計時部２５により計時されたりすると（ステップＳ２３にて「ＹＥＳ」）、この場合も、上記したようなパラメータ設定値をインバータ装置１との間で転送する転送処理を行う（ステップＳ２１）。尚、この場合、特定の文字列や所定時刻や所定時間は、図５（ｄ）に示す画面上で設定される。
【００６９】
これにより、ユーザは、携帯電話機４を利用し、パラメータ設定値をインバータ装置１と携帯電話機４との間で転送させることができ、インバータ装置１に記憶されているパラメータ設定値を読出して携帯電話機４に記憶させることができ、また、携帯電話機４に記憶されているパラメータ設定値をインバータ装置１に書込むことがきる。
【００７０】
そして、制御部１６は、終了条件が成立したか否かを判定し（ステップＳ２４）、終了条件が成立していないことを判定すると（ステップＳ２４にて「ＹＥＳ」）、上記したステップＳ１に戻り、ステップＳ１以降の処理を繰返して実行する。
【００７１】
尚、制御部１６は、パラメータ設定値をインバータ装置１との間で転送させる転送処理を行うことのみでなく、記憶部２６に記憶されているパラメータ設定値をサーバ６や他の携帯電話機８やパソコン端末９に送信させる送信処理をも行うようになっており、これにより、ユーザは、携帯電話機４を利用し、携帯電話機４に記憶されているパラメータ設定値をサーバ６や他の携帯電話機８やパソコン端末９に送信することができ、携帯電話機４から読出されたパラメータ設定値やインバータ装置１に書込まれるパラメータ設定値を遠隔地にて確認することができる。
【００７２】
また、制御部１６は、サーバ６や他の携帯電話機８やパソコン端末９からパラメータ設定値を受信させて記憶部２６に記憶させる受信処理をも行うようになっており、これにより、ユーザは、携帯電話機４を利用し、サーバ６や他の携帯電話機８やパソコン端末９からパラメータ設定値を受信させて携帯電話機４に記憶させることができ、遠隔地にて設定されたパラメータ設定値を携帯電話機４に書込むことができる。
【００７３】
ところで、上記した構成において、制御部１６は、表示指令信号を表示部１８に出力することにより、記憶部２６に記憶されているパラメータ設定値を表示部１８に表示させたり、操作受付部１９から操作信号が入力されたことに応じて、入力されたパラメータ設定値を記憶部２６に記憶させることが可能である。
【００７４】
また、制御部１６は、インバータ装置１から特定の文字列がシリアル転送インタフェース部２４に入力されたときや、インバータ装置１から特定のパラメータ設定値がシリアル転送インタフェース部２４に入力されたときにも、パラメータ設定値をサーバ６や他の携帯電話機８やパソコン端末９に送信させる送信処理を行うことも可能である。そして、このとき、制御部１６は、再生指令信号を音楽再生部２０に出力することにより、音楽をスピーカ２０から出力させることも可能である。
【００７５】
また、制御部１６は、サーバ６や他の携帯電話機８やパソコン端末９から特定の文字列が無線通信部２７に受信されたときや、所定時刻や所定時間が計時部２５により計時されたときに、記憶部２６に記憶されているパラメータ設定値を変更させ、変更後のパラメータ設定値をインバータ装置１に書込むことも可能である。
【００７６】
また、制御部１６は、サーバ６から無線通信部１７によりインバータ装置１の制御プログラムをダウンロードさせてシリアル転送インタフェース部２４からインバータ装置１に転送させることにより、インバータ装置１の制御プログラムを書込むことも可能である。
【００７７】
また、制御部１６は、インバータ装置１が運転状態であることを検出すると、無線通信部１７からパラメータ設定値をサーバ６や他の携帯電話機８やパソコン端末９に送信させることを禁止したり、インバータ装置１が異常状態や停止状態であることを検出すると、無線通信部１７からインバータ装置１が異常状態や停止状態であることを表す異常停止信号をサーバ６や他の携帯電話機８やパソコン端末９に送信させることも可能である。
【００７８】
以上に説明したように本実施例によれば、携帯電話機４において、インバータ装置１に記憶されているパラメータ設定値が直接転送されることにより、インバータ装置１からパラメータ設定値が読出されて記憶部２６に記憶されると共に、記憶部２６に記憶されているパラメータ設定値がインバータ装置１に直接転送されることにより、パラメータ設定値がインバータ装置１に書込まれるように構成した。これにより、例えばデスクトップ型のパソコン端末をインバータ装置１に接続する従来のものとは異なって、インバータ装置１からパラメータ設定値を読出すときやインバータ装置１にパラメータ設定値を書込むときの作業性を高めることができ、また、携帯電話機１が本来有している電話機能を利用することにより、単独でパラメータ設定値を遠隔地に送信することができ、インバータ装置１から読出されたパラメータ設定値を遠隔地に送信するときの利便性を高めることができる。
【００７９】
また、記憶部２６に記憶されているパラメータ設定値が表示部１８に表示されるように構成したので、インバータ装置１から読出されたパラメータ設定値やインバータ装置１に書込まれるパラメータ設定値を視覚的に確認することができる。
【００８０】
また、ユーザの操作に入力されたパラメータ設定値が記憶部２６に記憶されるように構成したので、ユーザの操作に入力されたパラメータ設定値をインバータ装置１に書込むことができ、パラメータ設定値を容易に編集することができる。
【００８１】
また、記憶部２６に記憶されているパラメータ設定値がサーバ６や他の携帯電話機８やパソコン端末９に送信されるように構成したので、インバータ装置１から読出されたパラメータ設定値やインバータ装置１に書込まれるパラメータ設定値を遠隔地にて確認することができる。
【００８２】
また、サーバ６や他の携帯電話機８やパソコン端末９から受信されたパラメータ設定値が記憶部２６に記憶されるように構成したので、遠隔地にて設定されたパラメータ設定値をインバータ装置１に書込むことができる。
【００８３】
本発明は、上記した実施例にのみ限定されるものではなく、以下のように変形または拡張することができる。
携帯電話機とインバータ装置との間のパラメータ設定値の転送を、シリアル転送ケーブルを利用した有線通信により行う構成に限らず、簡易な無線ＬＡＮを利用した無線通信により行う構成であっても良い。
【００８４】
【発明の効果】
以上の説明によって明らかなように、本発明によれば、インバータ装置に記憶されているパラメータ設定値が携帯電話機に直接転送されることにより、インバータ装置からパラメータ設定値が読出されて携帯電話機に記憶されると共に、携帯電話機に記憶されているパラメータ設定値がインバータ装置に直接転送されることにより、携帯電話機からパラメータ設定値がインバータ装置に書込まれるように構成したので、インバータ装置からパラメータ設定値を読出すときやインバータ装置にパラメータ設定値を書込むときの作業性を高めることができ、また、携帯電話機が本来有している電話機能を利用することにより、単独でパラメータ設定値を遠隔地に送信することができ、インバータ装置から読出されたパラメータ設定値を遠隔地に送信するときの利便性を高めることができる。
【図面の簡単な説明】
【図１】本発明の一実施例のシステム全体を概略的に示す図
【図２】インバータ装置および携帯電話機の電気的な構成を示す機能ブロック図
【図３】フローチャート
【図４】図３相当図
【図５】携帯電話機における表示画面の遷移の一例を示す図
【図６】図５相当図
【符号の説明】
図面中、１はインバータ装置、３はモータ、４は携帯電話機、６はサーバ、８は他の携帯電話機（他の機器）、９はパソコン端末（他の機器）、１６は制御部（制御手段）、１７は無線通信部（パラメータ設定値送信手段、パラメータ設定値受信手段、文字列受信手段、制御プログラム受信手段、異常停止情報送信手段、固有プログラム受信手段）、１８は表示部（表示手段）、１９は操作受付部（操作受付手段）、２０は音楽再生部（報知手段）、２４はシリアル転送インタフェース部（パラメータ設定値転送手段、文字列入力手段、制御プログラム転送手段、文字列出力手段、返信データ入力手段）、２５は計時部（計時手段）、２６は記憶部（記憶手段）である。
【図１】
2004104661.tif 000003
【図２】
2004104661.tif 000004
【図３】
2004104661.tif 000005
【図４】
2004104661.tif 000006
【図５】
2004104661.tif 000007
【図６】
2004104661.tif 000008